(57)【特許請求の範囲】
【請求項１】
送信手段から送信された光信号を受信して少なくとも告知放送を行う告知放送システムの受信機であって、
前記光信号の入力を受け付ける光入力端子と、
前記光入力端子より入力された前記光信号を電気信号に変換する光電変換手段と、
前記光電変換手段より出力された前記電気信号に含まれる告知放送信号に基づいて告知放送を音声出力する放送出力手段と、
電池電源と、
前記受信機の外部からの電気信号の入力を受け付ける電気入力端子と、
受信した光信号のレベル、及び前記電気入力端子より入力された電気信号のレベルを測定する光電レベル測定手段と、
前記光電レベル測定手段により測定された結果に基づいて、前記光入力端子に対する光信号又は前記電気入力端子に対する電気信号のいずれかの入力のみを受け付ける選択手段と、を備え、
前記光電変換手段及び前記放送出力手段に対して前記電池電源から電源供給可能である、
告知放送システムの受信機。
【請求項２】
少なくとも前記光電変換手段を収容する筐体を備え、
前記光電変換手段を前記筐体から着脱可能とした、
請求項１に記載の告知放送システムの受信機。
【請求項３】
前記光電変換手段は、ユニットケースを備え、
前記光電変換手段の前記ユニットケースを前記筐体に対して構造的に着脱可能に接続すると共に、前記光電変換手段を前記放送出力手段に対して電気的に接続する、取り付け手段を備える、
請求項２に記載の告知放送システムの受信機。
【請求項４】
前記光信号はＴＶ放送信号を含み、前記光電変換手段より出力された前記電気信号に含まれるＴＶ放送信号を前記受信機の外部に出力する、
請求項１または２に記載の告知放送システムの受信機。
【請求項５】
受信した光信号が緊急告知放送信号を含む場合は、当該表示手段に警報メッセージを表示する表示手段、
を備える請求項１から４のいずれか一項に記載の告知放送システムの受信機。
【請求項６】
受信した光信号のレベルを測定する光レベル測定手段と、
前記光レベル測定手段により測定した信号のレベルを出力する光レベル出力手段と、
を備える請求項１から５のいずれか一項に記載の告知放送システムの受信機。
【請求項７】
同軸ケーブルを介してＴＶ受像機と接続されることで前記光電変換手段より入力された電気信号をＴＶ受像機に対して出力する電気出力端子、
を備える請求項１から６のいずれか一項に記載の告知放送システムの受信機。
【請求項８】
前記受信機から送信する電気信号を光信号に変換する電光変換手段と、
前記電光変換手段より出力された前記光信号を出力する光出力端子と、
を備える請求項１から７のいずれか一項に記載の告知放送システムの受信機。
【発明の詳細な説明】
【技術分野】
【０００１】
本発明は、告知放送を行うための告知放送システムの受信機に関する。
【背景技術】
【０００２】
近年、放送センターから複数の住戸に対して光通信による告知放送を行うための告知放送システムが普及している。この告知放送システムは、概略的に、放送センターに配置され告知放送信号を発信するセンター装置、各住戸の屋外に配置され告知放送信号を光電変換する光電変換装置（Ｖ−ＯＮＵ）、各住戸の屋内に配置され光電変換された告知放送信号を受信する受信機（告知放送受信機）を備えて構成されている（例えば特許文献１参照）。
【０００３】
このような告知放送システムにおいて、従来の光電変換装置は、受信機とは別個の独立した装置として形成され、受信機が備えられる各住戸の外壁等に設置されていた。そして、センター装置から光ファイバ網を介して送信された光信号を、光電変換装置によって光電変換して電気信号とし、この電気信号に含まれる告知放送信号を受信機に出力していた。また、センター装置からの光信号にはＴＶ放送信号が多重される場合があり、この場合には、光電変換装置によって光電変換された電気信号に含まれるＴＶ放送信号を、各住戸のＴＶ受像機に出力していた。このため、光電変換装置には、ＴＶ放送信号を出力する出力端子等、ＴＶ放送信号用の構成要素が設けられていた。
【先行技術文献】
【特許文献】
【０００４】
【特許文献１】特開２００７−０８１８７５号公報
【発明の概要】
【発明が解決しようとする課題】
【０００５】
しかしながら、上記従来の告知放送システムでは、光電変換装置を受信機とは別個の独立した装置として形成していたので、これら装置を別々に製造して設置する必要があり、製造コストが増大したり、設置作業が面倒であった。特に、ＴＶ放送信号をアンテナ等を介して受信する住戸等では、ＴＶ放送信号を光信号として受信する必要がなく、光電変換装置におけるＴＶ放送信号用の構成要素が不要になるにも関わらず、ＴＶ放送信号用の構成要素を光電変換装置に一律に備えていたので、光電変換装置の製造コストが一律に増大していた。
【０００６】
本発明は、上記に鑑みてなされたものであって、告知放送システムの各装置の製造コストの低減や設置作業の簡素化を図ることができる、告知放送システムの受信機を提供することを目的とする。
【課題を解決するための手段】
【０００７】
上述した課題を解決し、目的を達成するために、請求項１に記載の告知放送システムの受信機は、送信手段から送信された光信号を受信して少なくとも告知放送を行う告知放送システムの受信機であって、前記光信号の入力を受け付ける光入力端子と、前記光入力端子より入力された前記光信号を電気信号に変換する光電変換手段と、前記光電変換手段より出力された前記電気信号に含まれる告知放送信号に基づいて告知放送を音声出力する放送出力手段と、電池電源と、前記受信機の外部からの電気信号の入力を受け付ける電気入力端子と、受信した光信号のレベル、及び前記電気入力端子より入力された電気信号のレベルを測定する光電レベル測定手段と、前記光電レベル測定手段により測定された結果に基づいて、前記光入力端子に対する光信号又は前記電気入力端子に対する電気信号のいずれかの入力のみを受け付ける選択手段と、を備え、前記光電変換手段及び前記放送出力手段に対して前記電池電源から電源供給可能である。
【０００８】
また、請求項２に記載の告知放送システムの受信機は、請求項１に記載の告知放送システムの受信機において、少なくとも前記光電変換手段を収容する筐体を備え、前記光電変換手段を前記筐体から着脱可能とした。
【０００９】
また、請求項３に記載の告知放送システムの受信機は、請求項２に記載の告知放送システムの受信機において、前記光電変換手段は、ユニットケースを備え、前記光電変換手段の前記ユニットケースを前記筐体に対して構造的に着脱可能に接続すると共に、前記光電変換手段を前記放送出力手段に対して電気的に接続する、取り付け手段を備える。
【００１０】
また、請求項４に記載の告知放送システムの受信機は、請求項１または２に記載の告知放送システムの受信機において、前記光信号はＴＶ放送信号を含み、前記光電変換手段より出力された前記電気信号に含まれるＴＶ放送信号を前記受信機の外部に出力する。
【００１３】
また、請求項５に記載の告知放送システムの受信機は、請求項１から４のいずれか一項に記載の告知放送システムの受信機において、受信した光信号が緊急告知放送信号を含む場合は、当該表示手段に警報メッセージを表示する表示手段を備える。
【００１４】
また、請求項６に記載の告知放送システムの受信機は、請求項１から５のいずれか一項に記載の告知放送システムの受信機において、受信した光信号のレベルを測定する光レベル測定手段と、前記光レベル測定手段により測定した信号のレベルを出力する光レベル出力手段と、を備える。
【００１６】
また、請求項７に記載の告知放送システムの受信機は、請求項１から６のいずれか一項に記載の告知放送システムの受信機において、同軸ケーブルを介してＴＶ受像機と接続されることで前記光電変換手段より入力された電気信号をＴＶ受像機に対して出力する電気出力端子、を備える。
【００１７】
また、請求項８に記載の告知放送システムの受信機は、請求項１から７のいずれか一項に記載の告知放送システムの受信機において、前記受信機から送信する電気信号を光信号に変換する電光変換手段と、前記電光変換手段より出力された前記光信号を出力する光出力端子と、を備える。
【発明の効果】
【００１８】
請求項１に記載の告知放送システムの受信機によれば、光電変換手段が受信機に内蔵されているため、受信機と共に光電変換手段を一体として同時に設置することができ、光電変換手段を光電変換装置として個別的に設置する場合に比べて、告知放送システムの設置や維持にかかる手間や費用を削減することが可能である。
また、光電変換手段及び放送出力手段に対して電池電源から電源供給することで、停電時でも確実に告知放送を受信して、住戸内に放送することができる。
また、光信号による放送信号レベルと電気信号による放送信号レベルとを比較し、放送信号として最適な信号のみを入力することが可能である。
【００１９】
また、請求項２に記載の告知放送システムの受信機によれば、光電変換手段を受信機から着脱することが可能であるため、光電変換手段が必要であるか否かに関わらず受信機を当該光電変換手段を除外した共通の構成とした上で、光電変換手段が必要な場合にのみ当該光電変換手段を受信機に装着することができる。このため、光電変換手段を装着した受信機と光電変換手段を装着していない受信機とを相互に異なる構造でそれぞれ製造する場合に比べて、受信機の製造コストを低減することが可能である。また、光電変換手段が不要な場合には、当該光電変換手段を未装着とした受信機を設置することができるので、光電変換手段が不要な場合であっても当該光電変換手段を装着した受信機を設置しなければならない場合に比べて、告知放送システムの設置や維持にかかる手間や費用を一層削減することが可能である。
【００２０】
また、請求項３に記載の告知放送システムの受信機によれば、光電変換手段と放送出力手段を取り付け手段を介して取り付けることにより、光電変換手段を放送出力手段に電気的かつ機械的に接続することができ、電気的接続と機械的接続を相互に異なる手段を介して行う場合に比べて、光電変換手段の接続を容易に行うことが可能である。
【００２１】
また、請求項４に記載の告知放送システムの受信機によれば、光信号として送信されたＴＶ放送信号を受信し、光電変換手段より出力された電気信号に含まれるＴＶ放送信号を受信機の外部に出力することが可能である。
【００２４】
また、請求項５に記載の告知放送システムの受信機によれば、光信号として送信された緊急告知放送信号を受信し、警報メッセージを表示することが可能であるため、ユーザに対して視覚に訴える方法により、警報メッセージを出力することが可能である。
【００２５】
また、請求項６に記載の告知放送システムの受信機によれば、ユーザが受信機の光信号の受信状況を容易に把握することが可能である。
【００２７】
また、請求項７に記載の告知放送システムの受信機によれば、光入力端子より受信したＴＶ放送信号を、ＴＶ受像機に対して出力可能であるため、光電変換装置を用いることなく、ＴＶ受像機でのＴＶ受像が可能になる。
【００２８】
また、請求項８に記載の告知放送システムの受信機によれば、光信号を用いて、受信機から放送センターへの上り通信を行うことが可能となる。
【図面の簡単な説明】
【００２９】
【図１】本発明の実施の形態に係る告知放送システムを機能概念的に示したブロック図である。
【図２】告知放送システムに係る受信機の外観を示す斜視図である。
【図３】受信機を示す図であり、（ａ）は背面図、（ｂ）は側面図、（ｃ）は平面図である。
【図４】実施の形態２に係る告知放送システムの受信機の概要図である。
【図５】実施の形態３に係る告知放送システムの受信機の概要図である。
【図６】実施の形態４に係る告知放送システムの受信機の外観を示す斜視図である。
【図７】受信機を機能概念的に示したブロック図である。
【図８】実施の形態５に係る告知放送システムの受信機を機能概念的に示したブロック図である。
【図９】受信機の外観を示す背面図である。
【図１０】実施の形態６に係る告知放送システムの受信機の外観を示す背面図である。
【図１１】受信機を機能概念的に示したブロック図である。
【図１２】実施の形態７に係る告知放送システムの受信機の外観を示す背面図である。
【図１３】受信機を機能概念的に示したブロック図である。
【発明を実施するための形態】
【００３０】
以下に添付図面を参照して、この発明に係る告知放送システムの受信機の各実施の形態を詳細に説明する。まず、〔Ｉ〕各実施の形態に共通の基本的概念を説明した後、〔ＩＩ〕各実施の形態の具体的内容について説明し、〔ＩＩＩ〕最後に、各実施の形態に対する変形例について説明する。ただし、各実施の形態によって本発明が限定されるものではない。
【００３１】
〔Ｉ〕各実施の形態に共通の基本的概念
まず、実施の形態の基本的概念について説明する。本発明は、放送センターより送信された放送信号を各住戸等において受信する告知放送システムの受信機に関するものである。ここで、「告知放送システム」とは、放送センターから複数の住戸等に対して各種の告知放送（さらに場合によってはＴＶ放送）を行うためのシステムであって、放送センター側に配置されるセンター装置と、各住戸側に配置される受信機と、センター装置から送信された放送信号を受信機に送信する伝送系統を備えて構成されている。「放送信号」とは、放送のために送信する電波信号であって、例えば告知放送信号、ＴＶ放送信号、デジタルラジオ放送信号等を含む。また、光信号と電気信号の両方を含む概念であり、特記する場合を除き単に「放送信号」と称する。「放送信号を送信する」とは、放送信号を放送波として無線にて送信すること、及び、放送信号を有線にて電線路や光伝送線路にて送信することを含む。「放送センター」とは、センター装置が備えられた発信所であって、例えば役所、消防署、ＣＡＴＶ局などを含む。「センター装置」とは、放送信号を送信する装置である。
【００３２】
この告知放送システムの受信機の特徴の一つは、概略的に受信機が光電変換部を内蔵していることにある。従って、従来のように受信機とは別個に光電変換装置を設ける必要がなくなり、光電変換装置を省略することができるので、告知放送システムの製造コストの低減や設置作業の簡素化を図ることができる。
【００３３】
〔ＩＩ〕実施の形態の具体的内容
次に、本発明に係る各実施の形態の具体的内容について説明する。
【００３４】
〔実施の形態１〕
最初に、実施の形態１について説明する。本実施の形態は、光信号を電気信号に変換する光電変換手段を内蔵する受信機についての形態である。
【００３５】
（構成）
まず、この実施の形態に係る告知放送システム１の構成を説明する。図１は本実施の形態に係る告知放送システム１を機能概念的に示したブロック図である。この図１に示すように、告知放送システム１は、センター側に配置されたセンター装置１０、各住戸に配置された受信機２０（告知放送受信機）、及びセンター装置１０から送信された放送信号を受信機２０に送信する伝送系統５０を備えて構成されている。なお、特記する構成を除き、センター装置１０、受信機２０、及び伝送系統５０は、従来の告知放送システムと同様に構成することが出来る。
【００３６】
（構成−センター装置）
このうち、センター装置１０は、告知放送信号を送信する送信手段であり、操作部１１、表示部１２、マイク１３、ＢＧＭ源１４、メモリ１５、日時回路１６、送信部１７、及び制御部１８を備えて構成されている。
【００３７】
操作部１１は、当該センター装置１０に対する各種の操作を行うための操作手段であり、例えば、各種の図示しないスイッチを含んで構成されている。表示部１２は、所要の情報を操作者に向けて表示するための表示手段であり、例えば、図示しないモニタや表示灯を含んで構成されている。マイク１３は、告知放送用の音声を入力するための音声入力手段である。ＢＧＭ源１４は、告知放送用の背景音楽の音源になる音源手段である。メモリ１５は、当該センター装置１０の各種制御に必要な情報を記録する記録手段である。日時回路１６は、年月日及び時分を含んだ日時情報を出力する日時手段である。送信部１７は、告知放送信号をヘッドエンド５１へ送信する送信手段である。そして、制御部１８は、当該センター装置１０の各部を制御する制御手段であり、例えば、図示しないＣＰＵ（Ｃｅｎｔｒａｌ  Ｐｒｏｃｅｓｓｉｎｇ  Ｕｎｉｔ）及びこのＣＰＵ上で解釈実行されるプログラムを含んで構成されている（後述する制御部３９も同じ）。
【００３８】
（構成−伝送系統）
次に、伝送系統５０は、ヘッドエンド５１、このヘッドエンド５１から各住戸の受信機２０に至る光伝送線路５２、さらに、この光伝送線路５２に配置された、光増幅器５３、光分配増幅器５４、及び光分配器５５を備えて構成されている。ヘッドエンド５１は、センター装置１０の送信部１７から送信された電気信号を受信し、この電気信号をレベル増幅して電光変換した上で光伝送線路５２に送出する増幅送信手段である。光伝送線路５２は、告知放送信号を送信する送信線路であり、例えば、光ケーブルが用いられる。光増幅器５３は、光伝送線路５２を流れる信号を増幅する光増幅手段である。光分配増幅器５４は、信号を増幅した上で、各住戸に向けて分配する光分配増幅手段である。光分配器５５は、光分配増幅器５４にて増幅された信号を各住戸に向けて分配する光分配手段である。
【００３９】
（構成−受信機）
次に、本実施の形態に係る受信機２０について説明する。
【００４０】
（構成−受信機−基本構成）
まず、受信機２０の基本構成について説明する。図２は、受信機２０の外観を示す斜視図であり、図２に示すように、受信機２０は、筐体２１の内部に図示しない各種の電子部品等を収容して構成されている。この筐体２１は、正面カバー２１ａと背面カバー２１ｂとを組み合わされて構成されている。
【００４１】
この筐体２１の正面には、操作部４１及び表示部４２が設けられている。操作部４１としては、具体的には、受信機２０に録音された告知放送の再生を指示するための告知再生スイッチ４１ａ、後述するアンテナ４３から受信したＦＭラジオの放送を指示するためのＦＭ放送選択スイッチ４１ｂ、及び放送音量を調節するためのボリュームスイッチ４１ｃが設けられている。表示部４２としては、具体的には、電源ＯＮ時に点灯する電源表示灯４２ａ、緊急放送時に点灯又は点滅する緊急放送表示灯４２ｂ、及び一般放送時に点灯又は点滅する一般放送表示灯４２ｃが設けられている。また、筐体２１の正面には、筐体２１の内部に設けた後述するスピーカ３７から出力された音を、当該筐体２１の外部に放出するための音響孔２２が設けられている。
【００４２】
また、筐体２１には、図示しない停電時の予備電源としての電池を収容するための空間部である電池取付部２３と、この電池取付部２３を開閉自在に覆う電池カバー２３ａが設けられている。このように電池カバー２３ａを筐体２１の正面に設けることで、電池カバー２３ａの着脱や電池交換を容易に行うことができる。
【００４３】
また、筐体２１の左側面には、ＦＭラジオ等の電波を受信するためのアンテナ４３が設けられている。従って、告知放送がセンター装置から受信できない状況であっても、アンテナ４３にてＦＭラジオ等を受信することができる。
【００４４】
（構成−受信機−配線）
次に、受信機２０に配線を接続等するために形成された構造について説明する。図３は、本実施の形態に係る受信機２０を示す図であり、（ａ）は背面図、（ｂ）は側面図、（ｃ）は平面図である。図３（ａ）に示すように、筐体２１に対して接続される配線としては、告知放送用信号を入力するための光ケーブル２５及び商用電源を供給するための電源コード２６がある。以下では、これら光ケーブル２５及び電源コード２６を、相互に特に区別する必要がない場合には「配線」と総称する。
【００４５】
配線は、いずれも筐体２１の背面に接続される。具体的には、図３（ａ）（ｃ）に示すように、筐体２１の背面における図示右上部には収容空間部２７が形成されており、この収容空間部２７には光ケーブル２５を接続するための光入力端子２８が収容されている。この光入力端子２８は、光信号の入力を受け付ける光信号入力手段であって、受信機２０の背面における所定の位置に設けられた、光ケーブル２５を接続することが可能な形状及び構造を有する端子である。この光入力端子２８に光ケーブル２５を接続することで、後述する光電変換部４４ａと光ケーブル２５が電気的に接続され、このことによって、受信機２０が光信号を受信することが可能な状態となる。また、筐体２１の背面における図示左下部には、電源コード２６を接続するための電源端子２９が設けられている。
【００４６】
ここで、筐体２１の背面には、配線の取り回しを行うための配線ガイド部３０が形成されている。この配線ガイド部３０は、第１配線路３０ａ及び引出口３０ｂを有する。第１配線路３０ａは、筐体２１の図示右側に設けられた配線路であり、少なくとも光ケーブル２５を挿通可能な径で形成された溝状の配線路であって、収容空間部２７から引出口３０ｂに至るように連続状に形成されている。引出口３０ｂは、受信機２０の背面における上下左右の略中央位置に設けられたものであって、少なくとも光ケーブル２５を挿通可能な径で形成された凹部である。
【００４７】
（構成−受信機−内部構成−光電変換部）
次に、図１に戻り、受信機２０の内部構成について説明する。受信機２０には、信号変換部４４が設けられている。この信号変換部４４は、受信機２０の筐体の内部に設けられたものであって、センター装置から送信された光ケーブル２５を介して送信された光信号を光入力端子２８を介して受信し、この光信号を電気信号に変換して、図示しない通信ケーブルを介して放送出力部３１に出力する光電変換手段（光電変換部４４ａ）である。この信号変換部４４は、例えば、ＰＤ（フォトダイオード）を含んだ公知の光電変換回路として構成され、後述する制御部３９と同じ基板に実装され、あるいは、他の部分から独立した基板に実装されて、筐体の内部にネジ止め等の公知の固定構造によって固定されている。なお、本実施の形態では、受信機２０にはＴＶ受像機が接続されておらず、受信機２０からＴＶ放送信号を出力する必要がないことから、信号変換部４４には、光電変換後の放送信号から告知放送信号の所定の周波数帯域の信号のみを通過させて放送出力部３１に出力するバンドパスフィルタ（通過帯域制限手段）を設けてもよい。
【００４８】
（構成−受信機−内部構成−放送出力部）
放送出力部３１は、光電変換部４４ａより出力された電気信号を出力することで少なくとも告知放送を行う放送出力手段である。この放送出力部３１は、受信機２０の筐体の内部に設けられた、復調部３２、音声切換え部３３、音声記録部３４、音量調整部３５、アンプ３６、スピーカ３７、メモリ３８、制御部３９、及びマイク４０と、受信機２０の筐体の外部に設けられた、操作部４１、表示部４２、及びアンテナ４３を備えて構成されている。
【００４９】
復調部３２は、信号変換部４４から出力された告知放送信号を復調する告知放送復調手段であり、音声情報を音声切換え部３３に出力するとともに制御部３９に出力する。音声切換え部３３は、復調部３２から出力された音声情報又は復調部３２から出力された音声信号を音声記録部３４に出力し、あるいは、復調部３２又は音声記録部３４から出力された音声情報を音量調整部３５に出力する音声切換え手段である。音声記録部３４は、音声情報を所定回数だけ録音する格納手段である。音量調整部３５は、音声切換え部３３から出力された音声情報の音量を調整してアンプ３６に出力する。この音声情報は、アンプ３６にて増幅された後、スピーカ３７から出力される。このスピーカ３７は、音声記録部３４にて録音された音声情報を再生する再生手段である。メモリ３８は、当該放送出力部３１の各種制御に必要な情報を記録する記録手段である。そして、制御部３９は、当該放送出力部３１の各部を制御する制御手段である。マイク４０は、ボイスメッセージを録音する録音手段である。
【００５０】
操作部４１は、当該受信機２０に対する各種の操作を行うための操作手段である。具体的には、ＦＭ放送を選択するためのＦＭ放送選択スイッチ４１ｂ、録音された告知放送の再生を指示するための告知再生スイッチ４１ａ、放送音量を調節するためのボリュームスイッチ４１ｃなどが設けられている。表示部４２は、受信した光信号が緊急告知放送信号を含む場合は、その旨の警報メッセージを表示する表示手段である。この表示部４２は、受信した放送信号に含まれる情報を視覚より認識できる態様で表示するものであり、例えば受信機２０の筐体の外面に配置された表示灯として構成される。
【００５１】
（処理）
次に、このように構成された受信機２０を用いて行われる処理について説明する。受信機の電源コード２６からの商用電源及び予備電源としての電池電源は、受信機２０内の光電変換部４４ａを含む信号変換部４４と放送出力部３１に電源を供給し、停電時を含めて受信機２０を動作させて、告知放送を受信及び放送することができる。センター装置から光ケーブル２５を介して送信された光信号は、光入力端子２８を介して信号変換部４４に入力される。この光信号は、信号変換部４４にて光電変換されて電気信号として放送出力部３１に出力される。この際、必要に応じて、電気信号からバンドパスフィルタによって告知放送信号のみが取り出されて放送出力部３１に出力される。放送出力部３１では、この告知放送信号に基づいて、公知の処理により告知放送処理を行う。
【００５２】
（実施の形態１の効果）
このように実施の形態１によれば、光電変換部４４ａが受信機２０に内蔵されているため、受信機２０と共に光電変換部４４ａを一体として同時に設置することができ、光電変換部４４ａを光電変換装置として個別的に設置する場合に比べて、告知放送システム１の設置や維持にかかる手間や費用を削減することが可能である。また、光電変換部を含めた受信機回路に電源供給することで、停電時でも確実に告知放送を受信して、住戸内に放送することができる。
【００５３】
〔実施の形態２〕
次に、実施の形態２について説明する。本実施の形態は、光電変換部４４ａを筐体６１から着脱可能とした形態である。なお、実施の形態２の構成や手順は、特記する場合を除いて実施の形態１の構成や手順と略同一であり、実施の形態１の構成や手順と略同一の構成や手順についてはこの実施の形態１で用いたのと同一の符号を必要に応じて付して、その説明を省略する。
【００５４】
（構成）
最初に、実施の形態２に係る告知放送システム２の受信機６０の構成について説明する。図４は、実施の形態２に係る告知放送システム２の受信機６０の概要図である。この告知放送システム２の受信機６０は、概略的に、筐体６１、ユニットケース６２を備えて構成されている。
【００５５】
（構成−筐体）
筐体６１は、少なくとも放送出力部３１を備える受信機６０の外郭であり、筐体６１の背面カバー２１ｂにおける下部には開口部が設けられており（以下、ユニットケース取付口６３）、このユニットケース取付口６３にユニットケース６２を嵌め込むことにより筐体６１とユニットケース６２が接合される。また、正面カバー２１ａにおけるユニットケース取付口６３と対向する面の所定位置には、筐体６１の幅方向に沿って二つのプラグインコネクタ６４が設けられている。なお、筐体６１とユニットケース６２を接合する方法は後述する。
【００５６】
（構成−筐体−プラグインコネクタ）
プラグインコネクタ６４は、光電変換部４４ａを筐体６１から着脱可能とする取り付け手段であり、後述するプラグコネクタ６５と嵌合するプラグイン形状として形成される。プラグインコネクタ６４は、筐体６１の内部において放送出力部３１に電気的に接続されており、また、後述するプラグコネクタ６５を介してユニットケース６２と接続することで、ユニットケース６２の内部の光電変換部４４ａと電気的に接続される。
【００５７】
（構成−ユニットケース）
ユニットケース６２は、その内部に信号変換部４４を備える信号変換部格納手段であって、筐体６１のユニットケース取付口６３に嵌合する箱型形状にて形成される。なお、ユニットケース６２の外面であって、筐体６１と対向する面にはプラグコネクタ６５が設けられており、一方、取り付け手段が設けられている面と逆側の面にはケーブル挿通孔６６が設けられている。以下、それぞれについて説明する。
【００５８】
（構成−ユニットケース−プラグコネクタ）
プラグコネクタ６５は、光電変換部４４ａを筐体６１から着脱可能とする取り付け手段である。このプラグコネクタ６５はプラグインコネクタ６４と嵌合するプラグ形状を有しており、ユニットケース６２の一側面におけるプラグインコネクタ６４に対応する位置及び数（ここでは２つ）で設けられる。
【００５９】
（構成−ユニットケース−ケーブル挿通孔）
ケーブル挿通孔６６は、ユニットケース６２の内部の信号変換部４４に対して配線を挿通するためにユニットケース６２の外面に設けられた孔であって、このケーブル挿通孔６６に光ケーブル２５を差込むことで、ユニットケース６２の内部に設けられた光入力端子２８に光ケーブル２５を接続することが出来る。なお、本実施の形態における光入力端子２８は、図４に示すように、ユニットケース６２の内部に設けられ、このユニットケース６２の内部において信号変換部４４と電気的に接続されている。
【００６０】
（ユニットケースの着脱方法）
ユニットケース６２を筐体６１のユニットケース取付口６３に差し込むことで、ユニットケース６２に設けられたプラグコネクタ６５と筐体６１に設けられたプラグインコネクタ６４とが相互に対応する位置に位置し、さらにユニットケース６２をユニットケース取付口６３の奥側に押し込むことで、ユニットケース６２のプラグコネクタ６５が筐体６１のプラグインコネクタ６４と接合され、これによりユニットケース６２を筐体６１に構造的に接続することができる。またこのように接合を行うことにより、プラグインコネクタ６４及びプラグコネクタ６５を介して信号変換部４４と放送出力部３１とを電気的に接続することができる。
【００６１】
このように、ユニットケース６２の着脱方法として、ユニットケース６２を筐体６１に押し込むことにより接続できる構成を説明したが、その他の方法を採用しても構わない。例えば、本実施形態におけるプラグコネクタ６５やプラグインコネクタ６４を備えず、ユニットケース６２をネジで直接筐体６１に対して構造的に接合した後に、放送出力部３１と信号変換部４４の配線を繋いでも良い。
【００６２】
（実施の形態２の効果）
このように実施の形態２によれば、光電変換部４４ａを受信機６０から着脱することが可能であるため、光電変換部４４ａが必要であるか否かに関わらず受信機６０を光電変換部４４ａを除外した共通の構成とした上で、光電変換部４４ａが必要な場合にのみ光電変換部４４ａを受信機６０に装着することができる。このため、光電変換部４４ａを装着した受信機６０と光電変換部４４ａを装着していない受信機６０とを相互に異なる構造でそれぞれ製造する場合に比べて、受信機６０の製造コストを低減することが可能である。また、光電変換部４４ａが不要な場合には、光電変換部４４ａを未装着とした受信機６０を設置することができるので、光電変換部４４ａが不要な場合であっても光電変換部４４ａを装着した受信機６０を設置しなければならない場合に比べて、告知放送システム２の設置や維持にかかる手間や費用を一層削減することが可能である。
【００６３】
〔実施の形態３〕
次に、実施の形態３について説明する。本実施の形態は、光電変換部４４ａと放送出力部３１とを接続する取り付け部７３を備え、取り付け部７３は放送出力部３１に対して信号変換部４４を電気的かつ構造的に接続可能とした形態である。なお、実施の形態３の構成や手順は、特記する場合を除いて実施の形態２の構成や手順と略同一であり、実施の形態２の構成や手順と略同一の構成や手順についてはこの実施の形態２で用いたのと同一の符号を必要に応じて付して、その説明を省略する。
【００６４】
（構成）
最初に、実施の形態３に係る告知放送システム３の受信機７０の構成について説明する。図５は、実施の形態３に係る告知放送システム３の受信機７０を示す概要図である。この告知放送システム３の受信機７０は、概略的に、筐体７１、ユニットケース７２、取り付け部７３を備えて構成されている。なお、筐体７１、ユニットケース７２については、実施の形態２と同様の構成を採用することが出来るため、その詳細な説明を省略する。また、取り付け部７３は、筐体７１の底面に設けられるプラグインコネクタ７４と、ユニットケース７２の上面に設けられるプラグコネクタ７５とを含む概念である。以下、これらの各構成要素について説明する。
【００６５】
プラグインコネクタ７４は光電変換部４４ａを筐体７１から着脱可能とする取り付け手段であり、筐体７１の底面において、筐体７１の幅方向に沿って２つ設けられている。
【００６６】
プラグコネクタ７５は光電変換部４４ａを筐体７１から着脱可能とする取り付け手段であり、ユニットケース７２の上面において、筐体７１のプラグインコネクタ７４に対応する位置及び数（ここでは２つ）で設けられている。
【００６７】
（ユニットケースの着脱方法）
ユニットケース７２に設けられたプラグコネクタ７５と筐体７１に設けられたプラグインコネクタ７４とを相互に対応する位置に設置し、ユニットケース７２を筐体７１の底面に向けて押し込むことで、ユニットケース７２のプラグコネクタ７５が筐体７１のプラグインコネクタ７４と接合され、これによりユニットケース７２を筐体７１に構造的に接続することができる。またこのように接合を行うことにより、プラグインコネクタ７４及びプラグコネクタ７５を介して信号変換部４４と放送出力部３１とを電気的に接続することができる。
【００６８】
ここで、筐体７１はその背面において壁に設置されているが、本実施の形態のように、筐体７１の背面ではなく底面にプラグインコネクタ７４を設けることで、筐体７１を壁から取り外すことなく、ユニットケース７２を筐体７１に着脱することが可能となる。
【００６９】
（実施の形態３の効果）
このように実施の形態３によれば、光電変換部４４ａと放送出力部３１を取り付け部７３を介して取り付けることにより、光電変換部４４ａを放送出力部３１に電気的かつ機械的に接続することができ、電気的接続と機械的接続を相互に異なる手段を介して行う場合に比べて、光電変換部４４ａの接続を容易に行うことが可能である。
【００７０】
〔実施の形態４〕
次に、実施の形態４について説明する。本実施の形態は、光信号のレベルを測定し、測定した信号のレベルを出力可能とした形態である。なお、実施の形態４の構成や手順は、特記する場合を除いて実施の形態１から３の構成や手順と略同一であり、実施の形態１から３の構成や手順と略同一の構成や手順についてはこの実施の形態１から３で用いたのと同一の符号を必要に応じて付して、その説明を省略する。
【００７１】
（構成）
最初に、実施の形態４に係る受信機８０の構成について説明する。図６は、実施の形態４に係る告知放送システム４の受信機８０の外観を示す斜視図であり、図７は、受信機８０を機能概念的に示したブロック図である。この告知放送システム４の受信機８０は、概略的に、レベル測定部８２と、レベル出力部８３とを備えて構成されている。以下、これらの各構成要素について説明する。
【００７２】
レベル測定部８２は、受信した光信号のレベルを測定する光レベル測定手段であり、放送出力部８１を構成する回路として形成される。放送出力部８１に入力された放送信号は、まずこのレベル測定部８２にてそのレベルを測定される。なお、このレベル測定部８２は、公知の測定器を採用することが出来るため、その詳細な説明を省略する。
【００７３】
なお、「光信号のレベル」とは、信号変換部４４により光電変換する前の光信号のレベルと、信号変換部４４により光電変換した後の電気信号のレベルの両方を含む概念であり、レベル測定部８２が計測する放送信号のレベルは、このうちのいずれであっても構わない。
【００７４】
レベル出力部８３は、レベル測定部８２により測定した光信号のレベルを出力する光レベル出力手段であり、図６に示すように筐体２１の外面における所定の位置に設けられる。このレベル出力部８３は例えば数字表示灯により構成され、測定した光信号のレベルを数値として表示することで、ユーザに対して放送信号の出力状況を表示する。あるいは、単に表示灯として形成され、光信号のレベルが所定の基準を満たしていない時に点灯することで、ユーザに対して警告することとしても良い。
【００７５】
（実施の形態４の効果）
従来の屋外等に設置される光電変換装置では測定器を接続して信号受信レベルを把握する必要があり、レベル測定が困難であったが、実施の形態４によれば、ユーザが住戸内に設置された表示部を有する受信機８０にて、光信号の受信状況を容易に把握することが可能である。
【００７６】
〔実施の形態５〕
次に、実施の形態５について説明する。本実施の形態は、電気信号による放送信号レベルと光信号による放送信号レベルを比較し、放送信号として最適な方のみの信号入力を受付可能とする処理（以下、最適信号選択処理）を行う形態である。なお、実施の形態５の構成や手順は、特記する場合を除いて実施の形態１から４の構成や手順と略同一であり、実施の形態１から４の構成や手順と略同一の構成や手順についてはこの実施の形態１から４で用いたのと同一の符号を必要に応じて付して、その説明を省略する。
【００７７】
（構成）
図８は、本実施の形態に係る告知放送システム５の受信機９０を機能概念的に示したブロック図であり、図９は、受信機９０の外観を示す背面図である。本実施の形態に係る受信機９０は、図８に示すように、放送出力部９１は、レベル測定部９２及び選択部９３を備え、図９に示すように、筐体２１の背面には、電気入力端子９４を備える。以下、これらの各構成要素について図８及び図９を参照しつつ説明する。
【００７８】
（構成−電気入力端子）
電気入力端子９４は、電気信号の入力を受け付ける電気信号入力手段であって、例えば筐体２１の背面における光入力端子２８の上部に配置される。受信機９０に光入力端子２８だけでなく電気入力端子９４も設けられていることの理由は、受信機９０が光通信による放送信号だけでなく電気通信による放送信号も受信できるようにするためである。この電気入力端子９４は、筐体２１の内部において放送出力部９１に電気的に接続され、筐体２１の外部において同軸ケーブル９５を介して電気信号に係る放送信号の光伝送線路５２と接続される。このような接続を行うことで、受信機９０が電気信号に係る放送信号を受信することが可能となる。なお、電気入力端子９４から入力される放送信号は元より電気信号であり、光電変換する必要はないため、図８に示すように、信号変換部４４を介さずに直接放送出力部９１と接続される。また、この同軸ケーブル９５の接続方法は、光ケーブル２５を光入力端子２８に接続する方法と同様の方法により行うことが出来るため、その説明を省略する。
【００７９】
（構成−レベル測定部）
レベル測定部９２は、光入力端子２８から入力された光信号のレベル、及び電気入力端子９４より入力された電気信号のレベルを測定する光電レベル測定手段であり、放送出力部９１を構成する回路として形成される。放送出力部９１に入力された放送信号は、まずこのレベル測定部９２にてそのレベルを測定され、その測定結果は後述の選択部９３における最適信号選択処理の指標となる。なお、このレベル測定部９２は、公知の測定器を採用することが出来るため、その詳細な説明を省略する。
【００８０】
なお、「光信号のレベル」とは、信号変換部４４により光電変換する前の光信号のレベルと、信号変換部４４により光電変換した後の電気信号のレベルの両方を含む概念であり、レベル測定部９２が計測する放送信号のレベルは、このうちのいずれであっても構わない。
【００８１】
（構成−選択部）
選択部９３は、レベル測定部９２により測定された結果に基づいて、光入力端子２８に対する光信号又は電気入力端子９４に対する電気信号のいずれかの入力のみを受け付ける選択手段である。このレベル測定部９２は、図８に示すように、光入力端子２８に接続される導線と、電気入力端子９４に接続される導線とを、相互に切換え可能となるように復調部３２に接続する切換えスイッチとして形成される。
【００８２】
（処理−最適信号選択処理）
続いて、最適信号選択処理について説明する。まず、レベル測定部９２により測定されたデータは、制御部３９に入力され、この制御部３９が電気信号のレベルと光信号のレベルのどちらの信号を優先すべきかを判断する。そして、現在入力を受け付けている放送信号の種類と制御部３９が優先すべきと判断した放送信号の種類が異なる場合、制御部３９は選択部９３に対してスイッチの切換えを行う旨の信号を出力する。一方、現在入力を受け付けている放送信号の種類と制御部３９が優先すべきと判断した放送信号の種類が同一である場合、現在入力を受け付けている放送信号の入力を継続する。このようにして最適信号選択処理が完了する。
【００８３】
（実施の形態５の効果）
このように実施の形態５によれば、光信号による放送信号レベルと電気信号による放送信号レベルとを比較し、放送信号として最適な信号のみを入力することが可能である。
【００８４】
〔実施の形態６〕
次に、実施の形態６について説明する。本実施の形態は、電気出力端子１０１より受信したＴＶ放送信号を、ＴＶ受像機１０２に対して出力可能とした形態である。なお、実施の形態６の構成や手順は、特記する場合を除いて実施の形態１から５の構成や手順と略同一であり、実施の形態１から５の構成や手順と略同一の構成や手順についてはこの実施の形態１から５で用いたのと同一の符号を必要に応じて付して、その説明を省略する。
【００８５】
（構成）
図１０は、本実施の形態に係る告知放送システム６の受信機１００の外観を示す背面図であり、図１１は、受信機１００を機能概念的に示したブロック図である。図１０に示すように、本実施の形態に係る受信機１００には、電気出力端子１０１が設けられている。
【００８６】
（構成−電気出力端子）
電気出力端子１０１は、同軸ケーブル９５を介してＴＶ受像機１０２と接続されることで信号変換部４４より入力された電気信号をＴＶ受像機１０２に対して出力する電気出力手段であって、筐体２１の背面における所定位置に配置される。そして、この電気出力端子１０１に同軸ケーブル９５を接続することで放送出力部３１と同軸ケーブル９５を電気的に接続することが出来る。なお、この同軸ケーブル９５の接続方法は、光ケーブル２５を光入力端子２８に接続する方法と同様の方法により行うことが出来るため、その説明を省略する。
【００８７】
（実施の形態６の効果）
このように実施の形態６によれば、光入力端子２８より受信したＴＶ放送信号を、ＴＶ受像機１０２に対して出力可能であるため、光電変換装置を用いることなく、ＴＶ受像機１０２でのＴＶ受像が可能になる。
【００８８】
〔実施の形態７〕
次に、実施の形態７について説明する。本実施の形態は、入力装置１１１より受け付けた入力信号を電光変換し、光信号として放送センターに対して送信可能とした形態である。なお、実施の形態７の構成や手順は、特記する場合を除いて実施の形態１から６の構成や手順と略同一であり、実施の形態１から６の構成や手順と略同一の構成や手順についてはこの実施の形態１から６で用いたのと同一の符号を必要に応じて付して、その説明を省略する。
【００８９】
（構成）
図１２は、本実施の形態に係る告知放送システム７の受信機１１０の外観を示す背面図であり、図１３は、受信機１１０を機能概念的に示したブロック図である。図１２、図１３に示すように、本実施の形態に係る受信機１１０は、入力装置１１１、受付入力端子１１２、信号変換部１１３を含む。以下、各構成要素について説明する。
【００９０】
（構成−入力装置）
入力装置１１１は、放送センターに対して出力する信号の入力を受け付ける受付手段である。入力装置１１１は、例えばＰＣのような外部機器として形成され、同軸ケーブル１１６を介して受付入力端子１１２と接続されて構成される。ユーザは、この入力装置１１１を用いて放送センターに対して送信する内容を入力することが可能である。
【００９１】
（構成−受付入力端子）
受付入力端子１１２は、同軸ケーブル１１６を介して入力装置１１１と接続されることで当該入力装置１１１より入力された電気信号を受け付ける受付入力手段であり、筐体２１の背面における所定の位置に配置される。この受付入力端子１１２は、筐体２１の内部において後述する電光変換部１１４に電気的に接続され、筐体２１の外部において同軸ケーブル１１６を介して入力装置１１１と接続される。
【００９２】
（構成−信号変換部）
信号変換部１１３は、光電変換部４４ａと電光変換部１１４を備えている。なお、光電変換部４４ａは、上述した実施形態１の光電変換部４４ａと同様に構成することができるため、その説明を省略する。
【００９３】
（構成−信号変換部−電光変換部）
電光変換部１１４は、受付入力端子１１２より受け付けた電気信号を光信号に変換する電光変換手段であって、受信機１１０の内部に構成される回路として形成される。電光変換部１１４は受付入力端子１１２に同軸ケーブル１１６を接続することで同軸ケーブル１１６を介して入力装置１１１と電気的に接続され、入力装置１１１から送信された電気信号を、同軸ケーブル１１６を介して受信することが可能となる。そして、この電光変換部１１４により光信号に変換された放送信号は、光ケーブル１１７を介して伝送系統５０に出力される。このように入力装置１１１から送信された電気信号を、電光変換部１１４によって伝送系統５０に対応する信号形態である光信号に変換することで、放送信号を伝送系統５０に入力することが可能となる。また、放送出力部３１の操作部４１の操作状況を制御部３９を介して信号変換部１１３の電光変換部１１４へ入力し、センター装置１０等へ信号を送信するようにしても良く、ユーザが告知放送を聴いたときに受信機の操作部を操作することで、告知放送を視聴したことをセンター装置側で確認することができる。
【００９４】
（構成−光出力端子）
光出力端子１１５は、電光変換部１１４より出力された前記光信号を出力する光出力手段であって、筐体２１の背面における所定位置に配置される。そして、この光出力端子１１５に光ケーブル１１７を接続することで伝送系統５０と光ケーブル１１７を電気的に接続することが出来る。なお、この光ケーブル１１７の接続方法は、光ケーブル２５を光入力端子に接続する方法と同様の方法により行うことが出来るため、その説明を省略する。
【００９５】
（処理）
最後に、放送センターに対して信号を送信する処理について説明する。入力装置１１１により出力される信号が、受付入力端子１１２を介して電光変換部１１４に出力され、この電光変換部１１４によって光信号に変換された上で、光出力端子１１５から出力される。そして、光出力端子１１５から出力された信号は、光伝送線路５２を介して放送センターに送信される。このような構成により、ユーザが入力装置１１１により出力した信号を放送センターに対して送信することが可能となる。すなわち、この入力装置１１１、受付入力端子１１２、信号変換部１１３、及び光出力端子１１５を備えることによって、受信機１１０と放送センターとの相互間における通信を行うことが可能となる。
【００９６】
（実施の形態７の効果）
このように実施の形態７によれば、光信号を用いて、受信機１１０から放送センターへの上り通信を行うことが可能となる。また、信号変換部１１３を含む受信機１１０内の回路に商用電源又は予備電源を供給することができるため、停電状態であってもセンター装置からの告知放送の受信と放送及びセンター装置への情報の送信を行うことができる。
【００９７】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００９８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、告知放送システムの受信機の維持にかかる手間や費用を従来に比べて削減できていない場合であっても、従来と異なる手段にて告知放送システムの受信機の維持が可能となっている場合には、本願発明の課題が達成されている。
【００９９】
（入力装置について）
入力装置１１１は必ずしも外部機器である必要は無く、受信機自体に入力装置１１１を設けても良い。例えば、緊急事態発生時に放送センターに対して緊急信号を送信する押しボタンとして、受信機１１０の外面に形成することが可能であり、このように、受信機１１０の外面に入力装置１１１を設ける場合は、受付入力端子１１２は省略しても良い。すなわち、受信機１１０自体に入力装置１１１を設けた場合は、外部機器としての入力装置１１１を接続するための受付入力端子１１２を設けずとも入力装置１１１と電光変換部１１４が電気的に接続されているため、ユーザがその入力装置１１１に対して入力を行うことで、入力した信号が電光変換部１１４に対して入力される。
〔付記〕
付記１に記載の告知放送システムの受信機は、送信手段から送信された光信号を受信して少なくとも告知放送を行う告知放送システムの受信機であって、前記光信号の入力を受け付ける光入力端子と、前記光入力端子より入力された前記光信号を電気信号に変換する光電変換手段と、前記光電変換手段より出力された前記電気信号を出力することで少なくとも告知放送を行う放送出力手段と、を備えた。
また、付記２に記載の告知放送システムの受信機は、付記１に記載の告知放送システムの受信機において、少なくとも前記光電変換手段を収容する筐体を備え、前記光電変換手段を前記筐体から着脱可能とした。
また、付記３に記載の告知放送システムの受信機は、付記２に記載の告知放送システムの受信機において、前記光電変換手段は、ユニットケースを備え、前記光電変換手段の前記ユニットケースを前記筐体に対して構造的に着脱可能に接続すると共に、前記光電変換手段を前記放送出力手段に対して電気的に接続する、取り付け手段を備える。
また、付記４に記載の告知放送システムの受信機は、付記１または２に記載の告知放送システムの受信機において、前記光信号はＴＶ放送信号を含み、前記放送出力手段はＴＶ放送を行う。
また、付記５に記載の告知放送システムの受信機は、付記４に記載の告知放送システムの受信機において、前記ＴＶ放送信号が緊急ＴＶ放送信号を含む場合、前記放送出力手段は所定の方法により当該緊急放送を行う。
また、付記６に記載の告知放送システムの受信機は、付記１から５のいずれか一項に記載の告知放送システムの受信機において、前記光信号はデジタルラジオ放送信号を含み、前記放送出力手段は当該デジタルラジオ放送を行う。
また、付記７に記載の告知放送システムの受信機は、付記１から６のいずれか一項に記載の告知放送システムの受信機において、受信した光信号が緊急告知放送信号を含む場合は、当該表示手段に警報メッセージを表示する表示手段を備える。
また、付記８に記載の告知放送システムの受信機は、付記１から７のいずれか一項に記載の告知放送システムの受信機において、受信した光信号のレベルを測定する光レベル測定手段と、前記光レベル測定手段により測定した信号のレベルを出力する光レベル出力手段と、を備える。
また、付記９に記載の告知放送システムの受信機は、付記１から７に記載の告知放送システムの受信機において、電気信号の入力を受け付ける電気入力端子と、受信した光信号のレベル、及び前記電気入力端子より入力された電気信号のレベルを測定する光電レベル測定手段と、前記光電レベル測定手段により測定された結果に基づいて、前記光入力端子に対する光信号又は前記電気入力端子に対する電気信号のいずれかの入力のみを受け付ける選択手段と、を備える。
また、付記１０に記載の告知放送システムの受信機は、付記１から９のいずれか一項に記載の告知放送システムの受信機において、同軸ケーブルを介してＴＶ受像機と接続されることで前記光電変換手段より入力された電気信号をＴＶ受像機に対して出力する電気出力端子、を備える。
また、付記１１に記載の告知放送システムの受信機は、付記１から１０のいずれか一項に記載の告知放送システムの受信機において、前記受信機から送信する電気信号を光信号に変換する電光変換手段と、前記電光変換手段より出力された前記光信号を出力する光出力端子と、を備える。
〔付記の効果〕
付記１に記載の告知放送システムの受信機によれば、光電変換手段が受信機に内蔵されているため、受信機と共に光電変換手段を一体として同時に設置することができ、光電変換手段を光電変換装置として個別的に設置する場合に比べて、告知放送システムの設置や維持にかかる手間や費用を削減することが可能である。
また、付記２に記載の告知放送システムの受信機によれば、光電変換手段を受信機から着脱することが可能であるため、光電変換手段が必要であるか否かに関わらず受信機を当該光電変換手段を除外した共通の構成とした上で、光電変換手段が必要な場合にのみ当該光電変換手段を受信機に装着することができる。このため、光電変換手段を装着した受信機と光電変換手段を装着していない受信機とを相互に異なる構造でそれぞれ製造する場合に比べて、受信機の製造コストを低減することが可能である。また、光電変換手段が不要な場合には、当該光電変換手段を未装着とした受信機を設置することができるので、光電変換手段が不要な場合であっても当該光電変換手段を装着した受信機を設置しなければならない場合に比べて、告知放送システムの設置や維持にかかる手間や費用を一層削減することが可能である。
また、付記３に記載の告知放送システムの受信機によれば、光電変換手段と放送出力手段を取り付け手段を介して取り付けることにより、光電変換手段を放送出力手段に電気的かつ機械的に接続することができ、電気的接続と機械的接続を相互に異なる手段を介して行う場合に比べて、光電変換手段の接続を容易に行うことが可能である。
また、付記４に記載の告知放送システムの受信機によれば、光信号として送信されたＴＶ放送信号を受信し、ＴＶ放送を出力することが可能であるため、ＴＶ受像機を別個に設けることなく、告知放送システムの受信機のみを用いてＴＶの視聴が可能となる。
また、付記５に記載の告知放送システムの受信機によれば、光信号として送信された緊急ＴＶ放送信号を受信し、緊急ＴＶ放送を出力することが可能であるため、ＴＶ受像機を別個に設けることなく、告知放送システムの受信機のみを用いて緊急ＴＶ放送の視聴が可能となる。
また、付記６に記載の告知放送システムの受信機によれば、光信号として送信されたデジタルラジオ放送信号を受信し、デジタルラジオ放送を出力することが可能であるため、ラジオ受信機を別個に設けることなく、告知放送システムの受信機のみを用いてラジオ放送の聴取が可能となる。
また、付記７に記載の告知放送システムの受信機によれば、光信号として送信された緊急告知放送信号を受信し、警報メッセージを表示することが可能であるため、ユーザに対して視覚に訴える方法により、警報メッセージを出力することが可能である。
また、付記８に記載の告知放送システムの受信機によれば、ユーザが受信機の光信号の受信状況を容易に把握することが可能である。
また、付記９に記載の告知放送システムの受信機によれば、光信号による放送信号レベルと電気信号による放送信号レベルとを比較し、放送信号として最適な信号のみを入力することが可能である。
また、付記１０に記載の告知放送システムの受信機によれば、光入力端子より受信したＴＶ放送信号を、ＴＶ受像機に対して出力可能であるため、光電変換装置を用いることなく、ＴＶ受像機でのＴＶ受像が可能になる。
また、付記１１に記載の告知放送システムの受信機によれば、光信号を用いて、受信機から放送センターへの上り通信を行うことが可能となる。
【符号の説明】
【０１００】
１、２、３、４、５、６、７  告知放送システム
１０  センター装置
１１、４１  操作部
１２、４２  表示部
１３、４０  マイク
１４  ＢＧＭ源
１５、３８  メモリ
１６  日時回路
１７  送信部
１８、３９  制御部
２０、６０、７０、８０、９０、１００、１１０  受信機
２１、６１、７１  筐体
２１ａ  正面カバー
２１ｂ  背面カバー
２３  電池取付部
２３ａ  電池カバー
２５、１１７  光ケーブル
２６  電源コード
２７  収容空間部
２８  光入力端子
２９  電源端子
３０  配線ガイド部
３０ａ  第１配線路
３０ｂ  引出口
３１、８１、９１  放送出力部
３２  復調部
３３  音声切換え部
３４  音声記録部
３６  アンプ
３７  スピーカ
４１ａ  告知再生スイッチ
４１ｂ  ＦＭ放送選択スイッチ
４１ｃ  ボリュームスイッチ
４２ａ  電源表示灯
４２ｂ  緊急放送表示灯
４２ｃ  一般放送表示灯
４３  アンテナ
４４、１１３  信号変換部
４４ａ  光電変換部
５０  伝送系統
５１  ヘッドエンド
５２  光伝送線路
５３  光増幅器
５４  光分配増幅器
５５  光分配器
６２、７２  ユニットケース
６３  ユニットケース取付口
６４、７４  プラグインコネクタ
６５、７５  プラグコネクタ
６６  ケーブル挿通孔
７３  取り付け部
８２、９２  レベル測定部
８３  レベル出力部
９３  選択部
９４  電気入力端子
９５、１１６  同軸ケーブル
１０１  電気出力端子
１０２  ＴＶ受像機
１１１  入力装置
１１２  受付入力端子
１１４  電光変換部
１１５  光出力端子
【図１】
0006282028.tif 000002
【図２】
0006282028.tif 000003
【図３】
0006282028.tif 000004
【図４】
0006282028.tif 000005
【図５】
0006282028.tif 000006
【図６】
0006282028.tif 000007
【図７】
0006282028.tif 000008
【図８】
0006282028.tif 000009
【図９】
0006282028.tif 000010
【図１０】
0006282028.tif 000011
【図１１】
0006282028.tif 000012
【図１２】
0006282028.tif 000013
【図１３】
0006282028.tif 000014